(57)【要約】【課題】  小型化を確保した上で表示領域の拡大による使い勝手の向上を図る。【解決手段】  筐体のディスプレイ配置部に配置され少なくとも一端部が平面部に対して屈曲又は傾斜された折曲部として形成されるディスプレイと、折曲部から出力される画像を、平面部から出力される画像を表示する表示面に導く導光体とを設けた。  これにより画像の表示領域が拡大されるため、小型化を確保した上で表示領域の拡大による使い勝手の向上を図ることができる。【選択図】        図４
2013164498.tif 000002
【特許請求の範囲】
【請求項１】
筐体のディスプレイ配置部に配置され少なくとも一端部が平面部に対して屈曲又は傾斜された折曲部として形成されるディスプレイと、
前記折曲部から出力される画像を、前記平面部から出力される画像を表示する表示面に導く導光体とを備えた
表示装置。
【請求項２】
前記導光体は、前記折曲部から出射される光を、前記平面部から出射される光が前記表示面において出射される方向と同じ方向に前記表示面から出射されるように導く
請求項１に記載の表示装置。
【請求項３】
前記筐体が二つ設けられ前記二つの筐体が回動可能に連結され、
前記各筐体にそれぞれ前記ディスプレイが配置され、
前記各筐体の連結された側の各端部にそれぞれ前記折曲部と前記導光体が位置された
請求項１に記載の表示装置。
【請求項４】
前記導光体は部位に応じて光の屈折率が異なるようにされた
請求項１に記載の表示装置。
【請求項５】
前記導光体の屈折率が前記折曲部と前記表示面の距離が離隔するに従って大きくされた
請求項４に記載の表示装置。
【請求項６】
前記折曲部の各画素間の各ピッチの少なくとも一つを異ならせて前記各画素から出射された各光の前記表示面に導かれる位置が等間隔になるようにした
請求項１に記載の表示装置。
【請求項７】
前記折曲部の各画素から出射される光の輝度が前記折曲部と前記表示面の距離が離隔するに従って大きくされた
請求項１に記載の表示装置。
【発明の詳細な説明】
【技術分野】
【０００１】
本技術は表示装置についての技術分野に関する。詳しくは、ディスプレイの一端部を折曲部として設け折曲部から出射された光を平面状の表示面に導光体によって導いて小型化を確保した上で表示面の拡大による使い勝手の向上を図る技術分野に関する。
【背景技術】
【０００２】
有機ＥＬ（Electro Luminescence）ディスプレイや液晶ディスプレイ等の表示部を有し、表示部に所望の画像を表示する表示装置、例えば、タブレット端末、パーソナルコンピューター、携帯電話、テレビジョン等がある。
【０００３】
このような表示装置にあっては、全体の小型化を確保した上で表示領域の拡大による大画面化が望まれている。
【０００４】
表示装置にあっては、筐体に設けられたディスプレイ配置部に表示部（ディスプレイ）が配置され、表示部の外周側には筐体の一部であるフレーム部が存在する。従って、フレーム部には画像を表示することができないため、表示装置における表示領域は表示部が配置された領域に限定される。
【０００５】
このような表示領域の限定は上記した表示領域の拡大に支障を来す他、表示装置の使用態様を狭める場合がある。特に、二つの筐体が連結されて構成された表示装置においては、二つの筐体にそれぞれ配置された表示部の間にフレーム部が存在し、二つの表示部がフレーム部を挟んだ反対側に位置されるため表示領域が分断されてしまう。
【０００６】
表示領域が分断されると、例えば、各表示領域に表示される画像が関連性の高い場合や各表示領域に跨って地図等の同種の画像が表示される場合に違和感を生じ、使い勝手の低減を来たしてしまう。
【０００７】
そこで、従来の表示装置には、表示部の全体に重ねて光軸方向が斜め方向にされた光ファイバープレートを配置し、見かけの表示領域をシフトして複数の表示領域を隣接させることにより表示領域の分断が生じないようにしたものがある（例えば、特許文献１参照）。
【０００８】
【特許文献１】特開平９−３７１９４号公報
【発明の開示】
【発明が解決しようとする課題】
【０００９】
ところが、特許文献１に記載された表示装置にあっては、表示部の発光面（表面）から出射される光を同じ方向へ導いて表示領域をシフトさせているため、表示領域の拡大を図ることはできない。
【００１０】
また、表示部の全体に重ねて光ファイバープレートが配置されているため、その分、表示装置の厚みが厚くなってしまい、表示装置の薄型化及び小型化を阻害してしまう。
【００１１】
そこで、本技術表示装置は、上記した問題点を克服し、小型化を確保した上で表示領域の拡大による使い勝手の向上を図ることを課題とする。
【課題を解決するための手段】
【００１２】
第１に、表示装置は、上記した課題を解決するために、筐体のディスプレイ配置部に配置され少なくとも一端部が平面部に対して屈曲又は傾斜された折曲部として形成されるディスプレイと、前記折曲部から出力される画像を、前記平面部から出力される画像を表示する表示面に導く導光体とを備えたものである。
【００１３】
従って、表示装置にあっては、導光体によって折曲部から出射された光が平面部から出力される画像を表示する表示面に導かれる。
【００１４】
第２に、前記導光体は、前記折曲部から出射される光を、前記平面部から出射される光が前記表示面において出射される方向と同じ方向に前記表示面から出射されるように導くことが望ましい。
【００１５】
折曲部から出射される光を、平面部から出射される光が表示面において出射される方向と同じ方向に表示面から出射されるように導くことにより、折曲部から出射される光が表示面から出射されるように導かれる。
【００１６】
第３に、上記した表示装置においては、前記筐体が二つ設けられ前記二つの筐体が回動可能に連結され、前記各筐体にそれぞれ前記ディスプレイが配置され、前記各筐体の連結された側の各端部にそれぞれ前記折曲部と前記導光体が位置されることが望ましい。
【００１７】
筐体が二つ設けられ二つの筐体が回動可能に連結され、各筐体にそれぞれディスプレイが配置され、各筐体の連結された側の各端部にそれぞれ折曲部と導光体が位置されることにより、表示領域が分断されず表示領域が一つの画面として認識される。
【００１８】
第４に、上記した表示装置においては、前記導光体は部位に応じて光の屈折率が異なるようにされることが望ましい。
【００１９】
導光体は部位に応じて光の屈折率が異なるようにされることにより、光の屈折率の相違により折曲部から出射された光が表示面に導かれる。
【００２０】
第５に、上記した表示装置においては、前記導光体の屈折率が前記折曲部と前記表示面の距離が離隔するに従って大きくされることが望ましい。
【００２１】
導光体の屈折率が折曲部と表示面の距離が離隔するに従って大きくされることにより、折曲部から出射され表示面から外部へ向けて出射される光の出射方向が揃えられる。
【００２２】
第６に、上記した表示装置においては、前記折曲部の各画素間の各ピッチの少なくとも一つを異ならせて前記各画素から出射された各光の前記表示面に導かれる位置が等間隔になるようにすることが望ましい。
【００２３】
折曲部の各画素間の各ピッチの少なくとも一つを異ならせて各画素から出射された各光の表示面に導かれる位置が等間隔になるようにすることにより、表示面に擬似的に表示される画像の歪みの発生が防止される。
【００２４】
第７に、上記した表示装置においては、前記折曲部の各画素から出射される光の輝度が前記折曲部と前記表示面の距離が離隔するに従って大きくされることが望ましい。
【００２５】
折曲部の各画素から出射される光の輝度が折曲部と表示面の距離が離隔するに従って大きくされることにより、折曲部の各画素から出射された各光の表示面における発光輝度が均一化される。
【発明の効果】
【００２６】
本技術表示装置は、筐体のディスプレイ配置部に配置され少なくとも一端部が平面部に対して屈曲又は傾斜された折曲部として形成されるディスプレイと、前記折曲部から出力される画像を、前記平面部から出力される画像を表示する表示面に導く導光体とを備えている。
【００２７】
従って、ディスプレイの全体に重ねて光ファイバープレートのような導光体を配置することなく画像の表示領域が拡大されるため、小型化を確保した上で表示領域の拡大による使い勝手の向上を図ることができる。
【００２８】
請求項２に記載した技術にあっては、前記導光体は、前記折曲部から出射される光を、前記平面部から出射される光が前記表示面において出射される方向と同じ方向に前記表示面から出射されるように導くようにされている。
【００２９】
従って、折曲部から出射される光が表示面から出射されるように導かれるため、表示面に表示される画像の視認性の向上を図ることができる。
【００３０】
請求項３に記載した技術にあっては、前記筐体が二つ設けられ前記二つの筐体が回動可能に連結され、前記各筐体にそれぞれ前記ディスプレイが配置され、前記各筐体の連結された側の各端部にそれぞれ前記折曲部と前記導光体が位置されている。
【００３１】
従って、表示領域が分断されず表示領域が一つの画面として認識されるため、表示領域に表示される画像が関連性の高い場合や表示領域に跨って同種の画像が表示される場合に違和感を生じることがなく、表示装置の使い勝手の向上及び視認性の向上を図ることができる。
【００３２】
請求項４に記載した技術にあっては、前記導光体は部位に応じて光の屈折率が異なるようにされている。
【００３３】
従って、簡易な構成によって折曲部から出射された光を表示面に導くことができる。
【００３４】
請求項５に記載した技術にあっては、前記導光体の屈折率が前記折曲部と前記表示面の距離が離隔するに従って大きくされている。
【００３５】
従って、折曲部から出射された光を表示面に確実に導くことができると共に表示面から外部へ向けて出射される光の出射方向を揃えることができる。
【００３６】
請求項６に記載した技術にあっては、前記折曲部の各画素間の各ピッチの少なくとも一つを異ならせて前記各画素から出射された各光の前記表示面に導かれる位置が等間隔になるようにしている。
【００３７】
従って、表示面に擬似的に表示される画像の歪みの発生を防止することができ、表示される画像の視認性の向上を図ることができる。
【００３８】
請求項７に記載した技術にあっては、前記折曲部の各画素から出射される光の輝度が前記折曲部と前記表示面の距離が離隔するに従って大きくされている。
【００３９】
従って、折曲部の各画素から出射された各光の表示面における発光輝度を均一化することが可能になり、表示領域の全体における輝度の均一化を図ることができる。
【発明を実施するための最良の形態】
【００４０】
以下に、本技術を実施するための最良の形態を添付図面に従って説明する。
【００４１】
以下に示した最良の形態は、本技術表示装置をタブレット端末に適用したものである。
【００４２】
尚、本技術の適用範囲はタブレット端末に限られることはない。本技術は、例えば、パーソナルコンピューター、携帯電話、テレビジョン、ディスプレイ装置等の表示部を有する各種の表示装置に広く適用することができる。
【００４３】
以下に示す表示装置は二つの本体ケースが回動可能（開閉可能）に連結されており、以下の説明にあっては、二つの本体ケースが開放された状態において表示面が向く方向を前方として前後上下左右の方向を示すものとする。
【００４４】
尚、以下に示す前後上下左右の方向は説明の便宜上のものであり、本技術の実施に関しては、これらの方向に限定されることはない。
【００４５】
［表示装置の構成］
表示装置１は第１の本体ケース２と第２の本体ケース３が回動可能（開閉可能）に連結されて成る（図１乃至図３参照）。第１の本体ケース２と第２の本体ケース３は同じ大きさ及び形状の扁平な略長方形状に形成され、ヒンジ部４、４を介して連結されている。ヒンジ部４、４は第１の本体ケース２と第２の本体ケース３の長手方向に離隔した部分に設けられている。
【００４６】
表示装置１は、第１の本体ケース２と第２の本体ケース３が最も開放された開放状態（図１参照）、第１の本体ケース２と第２の本体ケース３が閉塞された閉塞状態（図２参照）及び第１の本体ケース２と第２の本体ケース３が開放状態の手前の状態で開放された中間状態（図３参照）の何れかの状態に設定される。
【００４７】
第１の本体ケース２は筐体５と筐体５の前面側に配置されたディスプレイ６とを有している。
【００４８】
筐体５の側面には操作部７、７、接続部８、８及び入出力部９、９が配置されている（図１乃至図３参照）。操作部７、７としては、例えば、電源釦と音量調整摘子が設けられ、接続部８、８としては、例えば、ＤＣ（Direct Current）ジャック及びＵＳＢ（Universal Serial Bus）コネクターが設けられ、入出力部９、９としては、例えば、マイクロフォンとスピーカーが設けられている。
【００４９】
筐体５のディスプレイ６が配置された部分はディスプレイ配置部５ａとして設けられている（図４参照）。尚、図にはディスプレイ６の各画素を複数の小さい四角で概念的に示している。筐体５のヒンジ部４、４側の端部には、開放状態において第２の本体ケース３に隣接する一端側フレーム部５ｂが設けられている。一端側フレーム部５ｂは前面が第１の本体ケース２の前面より後方に位置されている。
【００５０】
ディスプレイ６は、例えば、有機ＥＬディスプレイであり、屈曲可能とされ、前後方向を向く平面部１０と平面部１０に対して屈曲された折曲部１１とから成る。折曲部１１は筐体５のヒンジ部４、４側の端部に位置され、平面部１０から離隔するに従って第１の本体ケース２の後面に近付く方向へ屈曲され曲面状に形成されている。ディスプレイ６には配線１２が接続され、配線１２は第１の本体ケース２の内部に配置された図示しない駆動回路に接続されている。
【００５１】
ディスプレイ６にあっては、平面部１０の前面が画像の表示時に発光する発光面１０ａとして形成され、折曲部１１の前面が画像の表示時に発光する発光面１１ａとして形成されている。
【００５２】
筐体５の前面側にはディスプレイ６の平面部１０を保護する保護カバー１３が配置されている。
【００５３】
第１の本体ケース２のヒンジ部４、４側の端部には導光体１４が配置されている。導光体１４としては、例えば、光が単一のモードで伝送されるシングルモード光ファイバーが用いられている。導光体１４は部位に応じて光の屈折率が異なるようにされている。
【００５４】
導光体１４は各一部が筐体５の一端側フレーム部５ｂの前面と保護カバー１３の側面とに密着され、折曲部１１の発光面１１ａに対向して位置された入射面１４ａと折曲部１１から出射された光によって画像が表示される表示面１４ｂとを有している。表示面１４ｂは導光体１４の前面であり、保護カバー１３の前面と同一平面上に位置されている。
【００５５】
導光体１４においては、光の屈折率が折曲部１１と表示面１４ｂの距離が離隔するに従って大きくされている。従って、折曲部１１の各画素から出射され入射面１４ａから入射された光は平面部１０から離隔するに従って大きく屈折され、導光体１４によって表示面１４ｂに導かれる。表示面１４ｂには折曲部１１の各画素から出射された光が略垂直な向きで入射するように導かれ、表示面１４ｂが折曲部１１から出力された画像の擬似的な表示領域とされる。
【００５６】
第２の本体ケース３は筐体１５と筐体１５の前面側に配置されたディスプレイ１６とを有している。
【００５７】
筐体１５には図示しない音声出力用ジャック（イヤホンジャック）や撮像部（カメラ部）が配置されている。
【００５８】
筐体１５のディスプレイ１６が配置された部分はディスプレイ配置部１５ａとして設けられている。尚、図にはディスプレイ１６の各画素を複数の小さい四角で概念的に示している。筐体１５のヒンジ部４、４側の端部には、開放状態において第１の本体ケース２に隣接する一端側フレーム部１５ｂが設けられている。一端側フレーム部１５ｂは前面が第２の本体ケース３の前面より後方に位置されている。
【００５９】
ディスプレイ１６は、例えば、有機ＥＬディスプレイであり、屈曲可能とされ、前後方向を向く平面部１７と平面部１７に対して屈曲された折曲部１８とから成る。折曲部１８は筐体１５のヒンジ部４、４側の端部に位置され、平面部１７から離隔するに従って第２の本体ケース３の後面に近付く方向へ屈曲され曲面状に形成されている。ディスプレイ１６には配線１９が接続され、配線１９は第２の本体ケース３の内部に配置された図示しない駆動回路に接続されている。
【００６０】
ディスプレイ１６にあっては、平面部１７の前面が画像の表示時に発光する発光面１７ａとして形成され、折曲部１８の前面が画像の表示時に発光する発光面１８ａとして形成されている。
【００６１】
筐体１５の前面側にはディスプレイ１６の平面部１７を保護する保護カバー２０が配置されている。
【００６２】
第２の本体ケース３のヒンジ部４、４側の端部には導光体２１が配置されている。導光体２１としては、例えば、シングルモード光ファイバーが用いられている。導光体２１は部位に応じて光の屈折率が異なるようにされている。
【００６３】
導光体２１は各一部が筐体１５の一端側フレーム部１５ｂの前面と保護カバー２０の側面とに密着され、折曲部１８の発光面１８ａに対向して位置された入射面２１ａと折曲部１８から出射された光によって画像が表示される表示面２１ｂとを有している。表示面２１ｂは導光体２１の前面であり、保護カバー２０の前面と同一平面上に位置されている。
【００６４】
導光体２１においては、光の屈折率が折曲部１８と表示面２１ｂの距離が離隔するに従って大きくされている。従って、折曲部１８の各画素から出射され入射面２１ａから入射された光は平面部１７から離隔するに従って大きく屈折され、導光体２１によって表示面２１ｂに導かれる。表示面２１ｂには折曲部１８の各画素から出射された光が略垂直な向きで入射されるように導かれ、表示面２１ｂが折曲部１８から出力された画像の擬似的な表示領域とされる。
【００６５】
尚、上記には、ディスプレイ６及びディスプレイ１６として有機ＥＬディスプレイが用いられた例を示したが、ディスプレイとしては、屈曲可能であれば他のデバイスを用いることが可能であり、ディスプレイとしては、例えば、液晶ディスプレイ、プラズマディスプレイ、電子ペーパー等を用いることも可能である。
【００６６】
また、上記には、導光体１４及び導光体２１としてシングルモード光ファイバーが用いられた例を示したが、導光体としては、ディスプレイの屈曲された部分から出射される光を平面状の表示領域に導く機能を有していれば他のデバイスを用いることが可能である。導光体としては、例えば、透明な繊維状の結晶が平行に整列したホウ酸塩鉱物である曹灰硼石（ウレキサイト）や屈折率の異なる光ファイバーを束ねた集合体を使用することも可能である。
【００６７】
これらのシングルモード光ファイバー、曹灰硼石及び光ファイバーを束ねた集合体は何れも界面において光を反射させることにより光を擬似的な表示領域に導くものである。
【００６８】
このように部位に応じて光の屈折率が異なる導光体を用いることにより、光の屈折率の相違により光が表示面１４ｂ、２１ｂに導かれるため、簡易な構成によって折曲部１１、１８から出射された光を表示面１４ｂ、２１ｂに導くことができる。
【００６９】
また、導光体の屈折率が折曲部１１、１８と表示面１４ｂ、２１ｂの距離が離隔するに従って大きくされることにより、折曲部１１、１８から出射された光を表示面１４ｂ、２１ｂに確実に導くことができると共に表示面１４ｂ、２１ｂから外部へ向けて出射される光の出射方向を揃えることができる。
【００７０】
尚、導光体として、例えば、複数の反射板と複数の透明板を画素に応じた位置に交互に積層して形成した積層板を使用し、光を反射板によって反射すると共に透明板を透過させて擬似的な表示領域に導くようにしてもよい。また、導光体として光の屈折率を部位によって変化させることにより光を擬似的な表示領域に導くものを用いることもできる。
【００７１】
［画像の視認］
上記のように構成された表示装置１においては、ディスプレイ６、１６の平面部１０、１７の画像は保護カバー１３、２０を通して視認され、ディスプレイ６、１６の折曲部１１、１８の画像は導光体１４、２１の表示面１４ｂ、２１ｂに擬似的に写し出されて視認される。従って、表示装置１における表示領域２２、２３は、保護カバー１３、２０を通して視認される平面部１０、１７と導光体１４、２１の表示面１４ｂ、２１ｂを合わせた領域とされる（図５参照）。
【００７２】
このように表示領域２２、２３は筐体５、１５のヒンジ部４、４側の各一端部に配置された導光体１４、２１の表示面１４ｂ、２１ｂを含む領域とされるため、表示装置１の開放状態において表示領域２２、２３が分断されず表示領域２２、２３が一つの画面として認識される。また、表示面１４ｂ、２１ｂに擬似的に画像が表示されるため、使用者においては、ディスプレイ６、１６がヒンジ部４、４側の一端まで配置されているように認識される。
【００７３】
［変形例］
以下に、表示装置１における各変形例について説明する。
【００７４】
第１の変形例は、折曲部１１、１８における各画素間の各ピッチを調整し、各画素から出射された各光の表示面１４ｂ、２１ｂに導かれる位置が等間隔になるようにした例である。
【００７５】
このような調整を行うことにより、折曲部１１、１８の各画素から出射された各光の表示面１４ｂ、２１ｂに導かれる位置が等間隔になるため、表示面１４ｂ、２１ｂに擬似的に表示される画像の歪みの発生を防止することができ、表示される画像の視認性の向上を図ることができる。
【００７６】
第２の変形例は、折曲部１１、１８における各画素から出射される光の輝度を折曲部１１、１８と表示面１４ｂ、２１ｂの距離が離隔するに従って大きくした例である。従って、折曲部１１、１８における各画素について、平面部１０、１７から離隔するに従って輝度が大きくされている。
【００７７】
このように各画素における輝度を変化させることにより、折曲部１１、１８の各画素から出射された各光の表示面１４ｂ、２１ｂにおける発光輝度を均一化することが可能になり、表示領域２２、２３の全体における輝度の均一化を図ることができる。
【００７８】
第３の変形例は、折曲部１１、１８における赤緑青（ＲＧＢ）の各画素の位置を調整して配置した例である（図６参照）。
【００７９】
赤緑青（ＲＧＢ）の各画素から出射される光については、赤色の画素から出射される光、緑色の画素から出射される光、青色の画素から出射される光の順に屈折の程度が大きくなり易いと言う特性を有している。そこで、折曲部１１、１８において、予め赤緑青の各画素をずらした状態で配置している。尚、図６において、縦線を付した画素Ｒは赤色の画素を示し、梨子地を付した画素Ｇは緑色の画素を示し、斜線を付した画素Ｂは青色の画素を示している。
【００８０】
このように赤緑青の各画素の位置を調整して配置することにより、表示面１４ｂ、２１ｂにおける色ズレの発生を抑制することができ、表示される画像の視認性の向上を図ることができる。
【００８１】
［他の形態の例］
以下に、表示装置１における他の形態の例について説明する（図７乃至図９参照）。
【００８２】
第１の他の形態の例は、ディスプレイ６Ａ、１６Ａが平面部１０、１７と平面部１０、１７に対して傾斜された折曲部１１Ａ、１８Ａとを有する構成にした例である（図７参照）。
【００８３】
このように平面部１０、１７に対して傾斜された折曲部１１Ａ、１８Ａが設けられている場合においても、導光体１４、２１等を用いることにより、折曲部１１Ａ、１８Ａによる画像を表示面１４ｂ、２１ｂに擬似的に表示させることができる。
【００８４】
尚、この場合に、傾斜角度の異なる折曲部が連続して複数設けられたディスプレイを用いることも可能である。
【００８５】
第２の他の形態の例は、導光体１４、２１の表示面１４ｂ、２１ｂに直交する面をサブ表示面１４ｃ、２１ｃとして、サブ表示面１４ｃ、２１ｃにも折曲部１１、１８から出射された光を導くようにした例である（図８参照）。
【００８６】
このようにサブ表示面１４ｃ、２１ｃにも折曲部１１、１８から出射された光を導くことにより、閉塞状態においてサブ表示面１４ｃ、２１ｃに擬似的に画像を表示することが可能になり、表示装置１の使い勝手の向上を図ることができる。
【００８７】
第３の他の形態の例は、導光体１４、２１及び保護カバー１３、２０上にタッチパネル２４、２５を配置した例である（図９参照）。
【００８８】
このように導光体１４、２１及び保護カバー１３、２０上にタッチパネル２４、２５を配置することにより、表示領域２２、２３に対して各操作を行うことが可能になり、表示装置１の操作性の向上を図ることができる。
【００８９】
［まとめ］
以上に記載した通り、表示装置１にあっては、ディスプレイ６、１６、６Ａ、１６Ａの折曲部１１、１８、１１Ａ、１８Ａから出射された光を導光体１４、２１によって平面状の表示面１４ｂ、２１ｂに導いて擬似的に画像を表示するようにしている。
【００９０】
従って、ディスプレイ６、１６、６Ａ、１６Ａの全体に重ねて光ファイバープレートのような導光体を配置することなく画像の表示領域が拡大されるため、小型化を確保した上で表示領域２２、２３の拡大による使い勝手の向上を図ることができる。
【００９１】
また、二つの筐体５、１５が互いに回動可能に連結され、各筐体５、１５の連結された側の各端部にそれぞれ導光体１４、２１が配置されている。
【００９２】
従って、表示領域２２、２３が分断されず表示領域２２、２３が一つの画面として認識されるため、表示領域２２、２３に表示される画像が関連性の高い場合や表示領域２２、２３に跨って同種の画像が表示される場合に違和感を生じることがなく、表示装置１の使い勝手の向上及び視認性の向上を図ることができる。
【００９３】
尚、上記した最良の形態において示した各例は、表示装置のみならず表示装置における制御方法や表示装置における制御プログラムについても適用することが可能である。
【００９４】
また、表示装置１においては、二つの表示領域２２、２３が独立して存在する構成にされているため、第１の本体ケース２と第２の本体ケース３を各別に形成することが可能であり、設計の自由度が向上し第１の本体ケース２と第２の本体ケース３を様々な形状及び構造に形成することが可能である。
【００９５】
例えば、表示装置を２軸ヒンジ構造を有する構成にしたり、３６０°回動可能な構造を有する構成にすることも可能である。
【００９６】
また、上記には、ヒンジ部４、４側の端部に導光体１４、２１を配置して表示面１４ｂ、２１ｂに光を導く例を示したが、この技術はヒンジ部４、４側の端部において適用するのみならず、第１の本体ケース２と第２の本体ケース３の任意の端部においても適用することが可能である。
【００９７】
特に、図１０に示すように、第１の本体ケース２と第２の本体ケース３の全ての端部Ｒ、Ｒ、・・・（各斜線で示す部分）においてこの技術を適用することにより、第１の本体ケース２と第２の本体ケース３の前面の全領域を表示領域として使用することが可能になり、フレーム部を有さないフレームレス構造を構成することが可能になる。
【００９８】
さらに、上記には、回動可能に連結された第１の本体ケース２と第２の本体ケース３が設けられた表示装置１、１Ａを例として示したが、本技術の適用範囲は、回動されるタイプの表示装置１、１Ａに限られることはなく、各筐体にそれぞれディスプレイが配置され、第１の本体ケースと第２の本体ケースが分離結合される各種のタイプの表示装置に適用することができる。
【００９９】
加えて、上記には、第１の本体ケース２と第２の本体ケース３が設けられた表示装置１、１Ａを例として示したが、本技術は一つの本体ケースのみによって構成されている表示装置にも適用可能である。
【０１００】
［本技術］
本技術は、以下のような構成にすることもできる。
【０１０１】
（１）筐体のディスプレイ配置部に配置され少なくとも一端部が平面部に対して屈曲又は傾斜された折曲部として形成されるディスプレイと、前記折曲部から出力される画像を、前記平面部から出力される画像を表示する表示面に導く導光体とを備えた表示装置。
【０１０２】
（２）前記導光体は、前記折曲部から出射される光を、前記平面部から出射される光が前記表示面において出射される方向と同じ方向に前記表示面から出射される前記（１）に記載の表示装置。
【０１０３】
（３）前記筐体が二つ設けられ前記二つの筐体が回動可能に連結され、前記各筐体にそれぞれ前記ディスプレイが配置され、前記各筐体の連結された側の各端部にそれぞれ前記折曲部と前記導光体が位置された前記（１）又は前記（２）に記載の表示装置。
【０１０４】
（４）前記導光体は部位に応じて光の屈折率が異なるようにされた前記（１）から前記（３）の何れかに記載の表示装置。
【０１０５】
（５）前記導光体の屈折率が前記折曲部と前記表示面の距離が離隔するに従って大きくされた前記（４）に記載の表示装置。
【０１０６】
（６）前記折曲部の各画素間の各ピッチの少なくとも一つを異ならせて前記各画素から出射された各光の前記表示面に導かれる位置が等間隔になるようにした前記（１）から前記（５）の何れかに記載の表示装置。
【０１０７】
（７）前記折曲部の各画素から出射される光の輝度が前記折曲部と前記表示面の距離が離隔するに従って大きくされた前記（１）から前記（６）の何れかに記載の表示装置。
【０１０８】
上記した最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０１０９】
【図１】図２乃至図１０と共に本技術の最良の形態を示すものであり、本図は、開放状態の表示装置を示す概略斜視図である。
【図２】閉塞状態の表示装置を示す概略斜視図である。
【図３】中間状態の表示装置を示す概略斜視図である。
【図４】ディスプレイの折曲部から出射された光の状態等を示す概念図である。
【図５】表示装置の概略正面図である。
【図６】折曲部における赤緑青（ＲＧＢ）の各画素の位置を調整して配置した例を示す概念図である。
【図７】ディスプレイが平面部と平面部に対して傾斜された折曲部とを有する構成にされた例を示す概念図である。
【図８】導光体のサブ表示面に折曲部から出射された光が導かれる例を示す概念図である。
【図９】導光体及び保護カバー上にタッチパネルが配置された例を示す概念図である。
【図１０】本技術を適用可能な第１の本体ケースと第２の本体ケースの領域を示す概念図である。
【符号の説明】
【０１１０】
１…表示装置、５…筐体、５ａ…ディスプレイ配置部、６…ディスプレイ、１０…平面部、１１…折曲部、１４…導光体、１４ａ…入射面、１４ｂ…表示面、１５…筐体、１５ａ…ディスプレイ配置部、１６…ディスプレイ、１７…平面部、１８…折曲部、２１…導光体、２１ａ…入射面、２１ｂ…表示面、６Ａ…ディスプレイ、１６Ａ…ディスプレイ、１１Ａ…折曲部、１８Ａ…折曲部
【図１】
2013164498.tif 000003
【図２】
2013164498.tif 000004
【図３】
2013164498.tif 000005
【図４】
2013164498.tif 000006
【図５】
2013164498.tif 000007
【図６】
2013164498.tif 000008
【図７】
2013164498.tif 000009
【図８】
2013164498.tif 000010
【図９】
2013164498.tif 000011
【図１０】
2013164498.tif 000012